(57)【要約】【課題】  バリアフリーに優れ、工期の短縮、構築コストの削減ができ、且つ構築容易な中層建築物用エレベータのかご室昇降路の階段一体型隔壁構造物及びその構築方法を提供する。【解決手段】  水平方向に設けられた廊下又は鉛直方向に設けられた既設階段に併設する中層建築物１５用エレベータのかご室昇降路の階段室一体型隔壁構造物１であって、平面形状ほぼコ字形のブロック３の開口側上端及び下端に水平方向の連結床４を設け、その対面の上下中央付近に踊場６を設けるとともに、左右両側面に階段５を設置して、該ブロック３の外周面に螺旋状の折り返し階段を周設した隔壁ユニット２を形成し、該隔壁ユニット２を廊下又は既設階段の方に開口して基礎１４上に複数積み重ねて接合することにより、各隔壁ユニットを一体化し、かご室昇降路と螺旋状の折り返し階段とを併せて構築してなる。【選択図】図５
2010202315.tif 000002
【特許請求の範囲】
【請求項１】
水平方向に設けられた廊下又は鉛直方向に設けられた既設階段に併設する中層建築物用エレベータのかご室昇降路の階段室一体型隔壁構造物であって、
平面形状ほぼコ字形のブロックの開口側上端及び下端に水平方向の連結床を設け、その対面の上下中央付近に踊場を設けるとともに、左右両側面に階段を設置して、該ブロックの外周面に螺旋状の折り返し階段を周設した隔壁ユニットを形成し、該隔壁ユニットを廊下又は既設階段の方に開口して基礎上に複数積み重ねて接合することにより、各隔壁ユニットを一体化し、かご室昇降路と螺旋状の折り返し階段とを併せて構築してなることを特徴とする中層建築物用エレベータのかご室昇降路の階段室一体型隔壁構造物。
【請求項２】
水平方向に設けられた廊下又は鉛直方向に設けられた既設階段に併設する中層建築物用エレベータのかご室昇降路の階段室一体型隔壁構造物を構築する隔壁ユニットであって、
平面形状ほぼコ字形のブロックの開口側上端及び下端に水平方向の連結床を設け、その対面の上下中央付近に踊場を設けるとともに、左右両側面に階段を設置して、該ブロックの外周面に螺旋状の折り返し階段を周設してなることを特徴とする隔壁ユニット。
【請求項３】
水平方向に設けられた廊下又は鉛直方向に設けられた既設階段に併設する中層建築物用エレベータのかご室昇降路の階段室一体型隔壁構造物の構築方法であって、
平面形状ほぼコ字形のブロックの開口側上端及び下端に水平方向の連結床を設け、その対面の上下中央付近に踊場を設けるとともに、左右両側面に階段を設置して、該ブロックの外周面に螺旋状の折り返し階段を周設することにより隔壁ユニットを形成する工程と、
前記隔壁ユニットを廊下又は既設階段の方に開口して基礎上に複数積み重ねて接合する工程と、
前記複数積み重ねた隔壁ユニット上に平面形状ほぼコ字形の最上層ブロックを設置した後、屋根を載置して接合する工程とを含むことを特徴とする中層建築物用エレベータのかご室昇降路の階段室一体型隔壁構造物の構築方法。
【発明の詳細な説明】
【技術分野】
【０００１】
本発明は、エレベータが設置されていない既存の中層集合住宅や学校等の中層建築物に、エレベータを簡易に設置することができるようにした中層建築物用エレベータのかご室昇降路の階段一体型隔壁構造物とその構築方法に関する。
【背景技術】
【０００２】
従来、本出願人により、平面状ほぼコ字形で複数形成されたブロックを廊下又は階段の方に開口して基礎上に複数積み重ねることにより、かご室昇降路を形成し、各ブロックを一体化する中層集合住宅用エレベータのかご室昇降路の隔壁構造物とその構築方法が提供されている（特許文献１）。
【０００３】
また、外部階段室を備えた既存の集合住宅にエレベータを増設するに当たって、既存の集合住宅に外部の階段室の側にエレベータ構造物を構築し、該エレベータ構築物と既存の集合住宅の各階のフロアとを同一面に位置する新設床で連結するエレベータの構築方法が提供されており、該エレベータ構築物のエレベータシャフトに階段を一体に設けることが開示されている（特許文献２）。
【先行技術文献】
【特許文献】
【０００４】
【特許文献１】特開２０００−１８５８８４号公報
【特許文献２】特開２００１−２７９９３４号公報
【発明の概要】
【発明が解決しようとする課題】
【０００５】
しかしながら、特許文献１に記載の技術では、かご室昇降路の隔壁構造物を既設の鉛直方向の階段の方に併設すると、エレベータの出入口が既設階段の踊場に連結されてしまうため、集合住宅の各部屋からエレベータに乗降するには、半階分の階段を上り下りする必要があり、老人や身体障害者等が利用するには、所謂バリアフリーとしての実用性を達成してはいなかった。
【０００６】
また、特許文献２に記載の技術では、エレベータシャフトと階段とが一体的に設けられているものの、エレベータシャフトの設置後に階段を付設するのは非常に手間であり、また、数階の高さのエレベータシャフトに階段を付けてから既存建物に付設するのも困難である。また、特許文献２には、どのようにエレベータシャフトと階段とを一体的に既存建物に付設するのかについての具体的な方法は記載されていない。
【０００７】
そこで、本発明は、バリアフリーに優れ、工期の短縮、構築コストの削減ができ、且つ構築容易な中層建築用エレベータのかご室昇降路の階段一体型隔壁構造物及びその構築方法を提供することを課題とした。
【課題を解決するための手段】
【０００８】
上記課題を解決するために、本発明は次のように構成した。すなわち、本発明に係る請求項１に記載の発明は、水平方向に設けられた廊下又は鉛直方向に設けられた既設階段に併設する中層建築物用エレベータのかご室昇降路の階段室一体型隔壁構造物であって、平面形状ほぼコ字形のブロックの開口側上端及び下端に水平方向の連結床を設け、その対面の上下中央付近に踊場を設けるとともに、左右両側面に階段を設置して、該ブロックの外周面に螺旋状の折り返し階段を周設した隔壁ユニットを形成し、該隔壁ユニットを廊下又は既設階段の方に開口して基礎上に複数積み重ねて接合することにより、各隔壁ユニットを一体化し、かご室昇降路と螺旋状の折り返し階段とを併せて構築してなることを特徴とする。
【０００９】
また、請求項２に記載の発明は、水平方向に設けられた廊下又は鉛直方向に設けられた既設階段に併設する中層建築物用エレベータのかご室昇降路の階段室一体型隔壁構造物を構築する隔壁ユニットであって、平面形状ほぼコ字形のブロックの開口側上端及び下端に水平方向の連結床を設け、その対面の上下中央付近に踊場を設けるとともに、左右両側面に階段を設置して、該ブロックの外周面に螺旋状の折り返し階段を周設してなることを特徴とする。
【００１０】
また、請求項３に記載の発明は、水平方向に設けられた廊下又は鉛直方向に設けられた既設階段に併設する中層建築物用エレベータのかご室昇降路の階段室一体型隔壁構造物の構築方法であって、平面形状ほぼコ字形のブロックの開口側上端及び下端に水平方向の連結床を設け、その対面の上下中央付近に踊場を設けるとともに、左右両側面に階段を設置して、該ブロックの外周面に螺旋状の折り返し階段を周設することにより隔壁ユニットを形成する工程と、前記隔壁ユニットを廊下又は既設階段の方に開口して基礎上に複数積み重ねて接合する工程と、前記複数積み重ねた隔壁ユニット上に平面形状ほぼコ字形の最上層ブロックを設置した後、屋根を載置して接合する工程とを含むことを特徴とする。
【発明の効果】
【００１１】
本発明に係る請求項１に記載のかご室昇降路の隔壁ユニットによれば、ユニットの形成後にエレベータを設置する中層建築物に容易に運搬して、階段一体型隔壁構造物を極めて容易に構築するこができる。
【００１２】
また、請求項２に記載のかご室昇降路の隔壁構造物及び請求項３に記載のかご室昇降路の隔壁構造物の構築方法によれば、極めて容易にエレベータの隔壁昇降路を構築することができ、構築コストの削減及び工期の短縮に貢献することができる。また、従来の構築方法に比べて構築時の騒音が出にくく、且つ工期が短いため、中層集合住宅等の住人の住生活に対しても貢献することができる。
【図面の簡単な説明】
【００１３】
【図１】本発明に係る階段一体型隔壁構造物の構造を示す斜視図である。
【図２】本発明に係る隔壁ユニットの構造を示す斜視図である。
【図３】ブロックに螺設される踊場を示す図である。
【図４】ブロックに螺設される階段を示す図である。
【図５】階段一体型隔壁構造物を中層建築物に設置した状態を示す斜視図である。
【発明を実施するための形態】
【００１４】
以下、図面に基づいて本発明を具体的に説明する。まず、図１は、本発明に係る階段一体型隔壁構造物１の構成を示す斜視図である。階段一体型隔壁構築物１は、平面形状ほぼコ字形のブロック３に連結床４、階段５及び踊場６を固設した隔壁ユニット２を複数と平面形状ほぼコ字形の最上層ブロック７とを積み重ねて構成され、連結床４、階段５及び踊場６が地上から最上層ブロック７の下端に至るまで螺旋状に各ブロック３に周設した状態となる。コ字形のブロック３の開口部は、エレベータの出入口となる。各隔壁ユニット２及び最上層ブロック７は、その各上端に設けられた突起８を各下端に設けられた凹部（図示せず。）に嵌合し、各接合面に敷設された硬質ゴム製パッキン等（図示せず。）を密着させた後、隙間にセメント系グラウト剤を充填して接合される。最上層ブロック７には、階段用ルーフ９が予め或いは後付けで固設される。
【００１５】
図２は、その隔壁ユニット２の構成を示す斜視図である。隔壁ユニット２は、平面形状ほぼコ字形のブロック３に階段５及び踊場６を設けて構成される。ブロック３には、中層建築物の廊下や既設階段との架け橋となる連結床４が、ブロック３から階段の幅だけ余すように開口側上端及び下端に水平方向に形成されている。踊場６も金属製の矩形板をブロック３から階段の幅だけ余すように、開口側対面の上下中央付近に固設される。そして、ブロック３の一方の側面に、下端の連結床４及び踊場６を接続する階段５が配設され、他方の側面に、踊場６及び上端の連結床４を接続する階段５が配設される。このようにして、ブロック３の外周面には、螺旋状の折り返し階段が形成される。なお、連結床４、階段５及び踊場６の表面には、滑り止め用に合成樹脂シート等の階段床材が着設される。階段５及び踊場６の外側面には、手摺り１３が設置されるが、隔壁ユニット２の構築時に設置しても、隔壁ユニットを積み重ねて階段一体型構造物１を構築した後の後付けであっても、どちらでもよい。
【００１６】
踊場６は、図３に示す通り、ブロック３の開口側対面に螺設される。踊場６は、金属製の平板１０と断面形状コ字形の鋼材１１とから構成され、鋼材１１が平板１０の底面長手方向の左右両端に、内側に開口した状態で固着されるとともに、鋼材１１のブロック３との設置面には等間隔の孔が設けられている。ブロック３には、予めアンカーボルト１２が等間隔に埋設されており、鋼材１１に設けられた孔に対応させながら挿通し、ナットで締め付けることにより踊場６がブロック３に固設される。
【００１７】
階段５は、ブロック３の左右両側面に螺設される。図４（ａ）及び（ｂ）に示す通り、階段５は、側桁を備えており、ブロック３に当接する側桁面の踏み板よりも下側に等間隔の孔が設けられている。また、ブロック３には、アンカーボルト１２が等間隔に埋設されており、鋼材１１に設けられた孔に対応させながら挿通し、ナットで締め付けることにより階段５がブロック３に固設される。このように固設された階段５は、上記同様に固設された踊場６に接続され、ブロック３の外周面に螺旋状の折り返し階段が周設されて、隔壁ユニット２を形成する。なお、ブロック３には、複数の隔壁ユニット２を接合するための突起８及び凹部（図示せず。）が設けられているが、それは以下の図５の説明において詳述する。
【００１８】
階段５の外側の側桁上及び踊場６の外側のコ字形鋼材１１上には手摺り１３を設けるが、階段一体型隔壁構造物１の構築後に手摺り１３を後付けしてもよい。
【００１９】
以下に、上記の隔壁ユニット２を複数積み重ねて構築される階段一体型隔壁構造物１について、中層集合住宅等の中層建築物１５の廊下側に併設する階段一体型隔壁構造物１を、図５を用いて説明する。
【００２０】
図５は、中層建築物１５の廊下側に併設した階段一体型隔壁構造物１を示す斜視図である。基礎１４（地中部分は破線で示す。）は、中層建築物１５の廊下側の地面に設置され、その上面で最下層の隔壁ユニット２との接合面には、複数の突起が形成されており、最下層の隔壁ユニット２の底面に設けられた凹部に嵌合し、各接合面に敷設された硬質ゴムパッキンを密着させた後、セメント系グラウト剤を充填して両者が固定される。
【００２１】
さらに複数形成された隔壁ユニット２を廊下の方に開口して積み重ねることにより、かご室昇降路と螺旋状の取り返し階段とを併せて形成し、積み重ねられる隔壁ユニット２の接合面に敷設された硬質ゴム製パッキンを密着させた後、セメント系グラウト剤を充填することにより、各ブロックを一体化する。最上層ブロック７には、最上階以上に階段で上がる必要はないので、折り返し階段は設置しなくてもよいが、階段用ルーフ９が階段５及び踊場６と同様にアンカーボルト１２を用いて螺設される。
【００２２】
この最上層ブロック７の上面にはコーキング材が塗布され、屋根１６が被せられる。屋根１６は、ブロック３よりも一回り大きく、上面はブロック３の開口側を低くした傾斜面とされ、その低くなった側に樋が取り付けられ、低くされた側以外の三方に凸条が形成される。
【００２３】
また、各隔壁ユニット２を積み重ねる際、鉛直方向に連続する隔壁ユニット２の上端の連結床４と下端の連結床４との接地面は、各接地面に敷設された硬質ゴム製パッキンを密着させた後、セメント系グラウト剤を充填して接合されるとともに、夫々の連結床４が各階の廊下と接合される。連結床の両サイドには、連結床４に雨水を浸入させないための防雨スクリーン１７が設置される。
【００２４】
以上のように、螺旋状の折り返し階段が固設された隔壁ユニット２を積み重ねて中層建築物１５に併設すれば、極めて容易に階段とエレベータとを一体的に設置することができる。
【００２５】
また、中層建築物１５又は中層建築物の既設階段側に本発明の階段一体型隔壁構造物１を併設する場合にも（図示せず。）、上記廊下側に併設したのと同様に階段一体型隔壁構造物１を併設することができる。ただ、通常一般的な中層集合住宅等の中層建築物１５に設けられている既設階段は、その踊場が各階の間で外方に向いて構築されているので、階段一体型隔壁構造物１のエレベータの出入口とは高低が合わず、そのままでは併設することができない。そのため、中層建築物１５の既設階段を解体して、隔壁ユニット２に接続する廊下を改めて構築する必要がある。なお、中層建築物１５の既設階段を解体して廊下を設けても、階段一体型隔壁構造物１の螺旋状の折り返し階段で昇降できるので支障をきたすことはない。
【００２６】
次に、隔壁ユニット２を積み重ねて階段一体型隔壁ユニット１を構築する方法について、上記各図を用いて説明する。
【００２７】
まずは、図２に示すような、階段５及び踊場６を固設する箇所にアンカーボルト１２を埋め込み、平面形状コ字形で開口側の上下端に平板状の連結床４を備えたブロック３を形成する。そして、ブロック３との接合面に前記アンカーボルト１２を挿通する孔を備えた側桁付きの階段５と、ブロック３との接合面に前記アンカーボルト１２を挿通する孔を備えたコ字状鋼材１１を有する踊場６とを螺設して、隔壁ユニット２を構築しておく。階段５は、昇降方向の両サイドに測桁が設けられるが、前記測桁に対する外側に測桁には、階段一体型隔壁構造物１の構築後に手摺り１３が設置される。同様に、踊場６も、進行方向の両サイドにコ字形鋼材１１が設けられるが、前記鋼材１１に対する外側の鋼材には、手摺り１３が設けられる。このような隔壁ユニット２は、中層建築物１５等にエレベータを設置する際に形成する必要はなく、予め工場等で組立てておけばよい。
【００２８】
次に、図５に示す通り、中層建築物１５等の廊下側又は既設階段側に基礎１４を併設し、基礎１４の打設及び乾燥が完了すると、上記で形成した隔壁ユニット２を複数、エレベータを設置する中層建築物１５へと運搬する。
【００２９】
そして、基礎１４の上面に設けられた突起（図示せず。）に、上記運搬された隔壁ユニット２の底面、すなわち基礎１４との接合面に設けられた凹部（図示せず。）を嵌合して、基礎１４及び隔壁ユニット２を接合する。その後、複数の隔壁ユニット２及び最上層ブロック７をその上面の突起と底面の凹部とを連続して嵌合し、連続する複数の隔壁ユニット２を積み重ねて、最上層ブロック７の上面に設けられた突起に屋根１６の底部に設けられた凹部を嵌合して接合する。これらの各接合面には硬質ゴム製パッキンが敷設されており、基礎１４、隔壁ユニット２、最上層ブロック７及び屋根１６を積み重ねる際に各接合面を密着させ、なお且つセメント系グラウト剤を充填することにより各部を固定する。そして、中層建築物１５等の廊下と連結床４とを連結金具等を用いて接続し固定する。
【００３０】
最後に、階段５及び踊場６の外側に設けられた側桁及びコ字形鋼材１１にボルト等を用いて手摺り１３の取り付け、最上層ブロック７の周側面の所定位置に設けられたアンカーボルト１２に、側面に孔を設けた階段用ルーフ９を螺設するとともに、連結床４の両サイドに防雨スクリーン１７を設置する。なお、階段用ルーフ９は、隔壁ユニット２の形成と同時に最上層ブロック７に螺設してもよい。
【００３１】
以上のような階段一体型隔壁構造物１の構築方法によれば、極めて容易にエレベータの隔壁昇降路を構築することができ、構築コストの削減及び工期の短縮に貢献することができる。また、従来の構築方法に比べて構築時の騒音が出にくく、且つ工期が短いため、中層建築物１５等の住人の住生活に対しても貢献可能である。
【００３２】
なお、以上のように構築された階段一体型隔壁構造物１のブロック内には、かご室を昇降させるための機械室が併設される。
【産業上の利用可能性】
【００３３】
上記実施例の階段一体型隔壁構造物１では、予め隔壁ユニット２を形成しても、その運搬に支障が出る場合、例えば、中層建築物１５近辺の通路が狭い場合等には、ブロック３の状態で運搬し、階段５及び踊場６をブロック３に後付けすることもできる。
【符号の説明】
【００３４】
１  階段一体型隔壁構造物
２  隔壁ユニット
３  ブロック
４  連結床
５  階段
６  踊場
７  最上層ブロック
８  突起
９  階段用ルーフ
１０  平板
１１  鋼材
１２  アンカーボルト
１３  手摺り
１４  基礎
１５  中層建築物
１６  屋根
１７  防雨スクリーン
【図１】
2010202315.tif 000003
【図２】
2010202315.tif 000004
【図３】
2010202315.tif 000005
【図４】
2010202315.tif 000006
【図５】
2010202315.tif 000007